(57)【要約】      （修正有）【課題】音源が所定方向に位置する場合、マイクロホンから出力される信号のレベルを大きくするマイクロホンケース及びマイクロホンユニットを提供する。【解決手段】マイクロホンユニット１は、底面部と、底面部の周縁を囲む壁部１１１、１１２、１１３、１１４と、マイクロホンを収納する収納部２０と、開口面を有する本体部と、開口面の一部を覆い収納部２０と接する蓋部４０と、開口面における本体部の長手方向の一方の端部と蓋部４０との間に開口する第１開口部Ｓ１と、開口面における本体部の長手方向の他方の端部と蓋部４０との間に開口する第２開口部Ｓ２とを備える。【選択図】図６
2018125641.tif 000002
【特許請求の範囲】
【請求項１】
底面部と、前記底面部の周縁を囲む壁部と、前記底面部と前記壁部で囲まれる空間を２つの内部空間に隔てると共にマイクロホンを収納する収納部と、前記底面部と反対側に開口する開口面を有する本体部と、
前記開口面の一部を覆い前記収納部と接する蓋部と、
前記開口面における前記本体部の長手方向の一方の端部と前記蓋部との間に開口する第１開口部と、
前記開口面における前記本体部の長手方向の一方の端部と前記蓋部との間に開口する第２開口部と、
を備えるマイクロホンケース。
【請求項２】
音を電気信号に変換するマイクロホンと、
底面部と、前記底面部の周縁を囲む壁部と、前記底面部と前記壁部で囲まれる空間を２つの内部空間に隔てると共に前記マイクロホンを収納する収納部と、前記底面部と反対側に開口する開口面を有する本体部と、
前記開口面の一部を覆い前記収納部と接する蓋部と、
前記開口面における前記本体部の長手方向の一方の端部と前記蓋部との間に開口する第１開口部と、
前記開口面における前記本体部の長手方向の一方の端部と前記蓋部との間に開口する第２開口部と、
を備えるマイクロホンユニット。
【請求項３】
前記壁部は、前記底面部に接続された第１壁、前記第１壁に対向する第２壁、第３壁、及び前記第３壁に対向する第４壁を備え、
前記収納部は前記第１壁と前記第２壁とに接続され、
前記第３壁と対向する前記マイクロホンの第１面から前記第３壁へ向かう方向を第１方向、前記第1方向と反対の方向を第２方向としたとき、
前記蓋部において、前記マイクロホンの第１面から前記第１方向へ張り出した部分の長さが、前記マイクロホンの第１面と反対の第２面から前記第２方向へ張り出した長さよりも短い、
請求項２に記載のマイクロホンユニット。
【請求項４】
前記マイクロホンは、前記第１方向の感度が前記第２方向の感度よりも大きい請求項３に記載のマイクロホンユニット。
【請求項５】
前記マイクロホンの第１面から前記第３壁までの距離は、前記マイクロホンの第１面と反対の第２面から前記第４壁までの距離より短い請求項２〜４のうちいずれか１項に記載のマイクロホンユニット。
【請求項６】
前記収納部は、前記蓋部側に切欠部を備え、
前記蓋部は、前記ケース側の面に前記切欠部と連結する突出部を備える、
請求項２〜５のうちいずれか１項に記載のマイクロホンユニット。
【請求項７】
前記マイクロホンは単一指向性を有しており、指向性の方向が前記第１方向である
請求項３〜６のうちいずれか１項に記載のマイクロホンユニット。
【発明の詳細な説明】
【技術分野】
【０００１】
本発明は、マイクロホンケース及びマイクロホンユニットに関する。
【背景技術】
【０００２】
車両に搭載されるマイクロホンを用いて、車載用の各種機器を制御することがある。この用途には、運転者の声を感度良く集音するために単一指向性のマイクロホンが用いられることが多い。また、運手者の声を効率良く集音するため、一端が車体に固定されるとともに、着座した運転者の肩付近に他端が配置されるベルトガイドにマイクロホンを取り付けることがある（特許文献１）。
【先行技術文献】
【特許文献】
【０００３】
【特許文献１】特開２００８-２６０４８８号公報
【発明の概要】
【発明が解決しようとする課題】
【０００４】
しかしながら、ベルトガイドにマイクロホンを取り付けると、取り付け部分のベルトガイドが大型化し、ベルトガイドの取り扱いが面倒になり、利便性が低下する。また、マイクロホンから出力される信号のレベルを大きくすることはできなかった。
【０００５】
本発明は上述した事情に鑑みてなされたものであり、音源が所定方向に位置する場合、マイクロホンから出力される信号のレベルを大きくすることを解決課題の一つとする。
【課題を解決するための手段】
【０００６】
本発明に係るマイクロホンケースの一態様は、底面部と、前記底面部の周縁を囲む壁部と、前記底面部と前記壁部で囲まれる空間を２つの内部空間に隔てると共にマイクロホンを収納する収納部と、前記底面部と反対側に開口する開口面を有する本体部と、前記開口面の一部を覆い前記収納部と接する蓋部と、前記開口面における前記本体部の長手方向の一方の端部と前記蓋部との間に開口する第１開口部と、前記開口面における前記本体部の長手方向の一方の端部と前記蓋部との間に開口する第２開口部と、を備える。
【０００７】
本発明に係るマイクロホンユニットの一態様は、音を電気信号に変換するマイクロホンと、底面部と、前記底面部の周縁を囲む壁部と、前記底面部と前記壁部で囲まれる空間を２つの内部空間に隔てると共に前記マイクロホンを収納する収納部と、前記底面部と反対側に開口する開口面を有する本体部と、前記開口面の一部を覆い前記収納部と接する蓋部と、前記開口面における前記本体部の長手方向の一方の端部と前記蓋部との間に開口する第１開口部と、前記開口面における前記本体部の長手方向の一方の端部と前記蓋部との間に開口する第２開口部と、を備える。
【図面の簡単な説明】
【０００８】
【図１】実施形態に係るマイクロホンユニットの構造を示す分解斜視図である。
【図２】ケースの平面図である。
【図３】ケースの断面図である。
【図４】蓋部の平面図である。
【図５】蓋部の断面図である。
【図６】マイクロホンユニットの平面図である。
【図７】マイクロホンユニットの断面図である。
【図８】指向性が単一指向性のマイクロホンを用いた場合の実験結果を示す表である。
【図９】指向性が双指向性のマイクロホンを用いた場合の実験結果を示す表である。
【図１０】マイクロホンユニットを車両に適用した場合の説明図である。
【図１１】変形例に係るマイクロホンユニットの断面図である。
【発明を実施するための形態】
【０００９】
＜実施形態＞
以下、図面を参照しながら本発明に係る実施の形態を説明する。なお、図面において各部の寸法及び縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１０】
図１は、本実施形態に係るマイクロホンユニット１の分解斜視図である。この図に示すようにマイクロホンユニット１は略直方体の形状をしている。マイクロホンユニット１は、マイクロホンケース２とマイクロホン３とを備える。マイクロホンケース２は、マイクロホンユニット１からマイクロホン３を除いた部分である。また、マイクロホンケース２は、本体部１０と蓋部４０とを備える。
【００１１】
本体部１０及び蓋部４０は、例えば、ＡＢＳ（acrylonitrile butadiene styrene）等の樹脂を材料とし、各々一体成形で製造される。本体部１０の形状は、略箱型である。本体部１０は、底面部１１と、底面部１１の周縁に設けられた壁部とを備える。壁部は、第１壁１１１、第２壁１１２、第３壁１１３、及び第４壁１１４を備える。第１壁１１１は第２壁１１２と向かい合い、第３壁１１３は第４壁１１４と向かい合う。
この例において、第１壁１１１、第２壁１１２、第３壁１１３、及び第４壁１１４の高さは等しく、底面部１１に対して垂直に設けられている。第１壁１１１、第２壁１１２、第３壁１１３、及び第４壁１１４の蓋部４０側の端部には、内側に溝１３が形成されている。第１壁１１１に形成された溝１３の端部から第２壁１１２に形成された溝１３の端部までの幅Ｗ１は、蓋部４０の幅Ｗ２と略等しい。蓋部４０は溝１３に嵌め込むことが可能である。
【００１２】
また、本体部１０には、第１壁１１１と第１壁１１１に向かい合う第２壁１１２との間にマイクロホン３を収納する収納部２０が設けられている。収納部２０は、貫通孔２１を有している。貫通孔２１の断面は円形であり、貫通孔２１に円柱の形状をしたマイクロホン３が嵌め込まれる。
【００１３】
図２は、本体部１０の平面図であり、図３は図２に示す本体部１０を破断線Ａ−Ａ’で切断した断面図である。本体部１０は、底面部１１と反対側に開口する開口面Ｒを備える。本体部１０は、収納部２０を備える。収納部２０は、蓋部４０の側に一部を切り欠いた切欠部２２を備える。更に、収納部２０の蓋部４０の側は、蓋部４０の下部の曲面に沿うように、曲面となっている。具体的には、蓋部４０の下部の曲面の曲率半径は、収納部２０の上部の曲率半径と略等しい。本体部１０の底面部１１には、貫通孔１２が形成されてり、貫通孔１２を介してマイクロホン３の配線がマイクロホンユニット１の外部に引き出される。
【００１４】
図４は、蓋部４０の平面図であり、図５は図４に示す蓋部４０を破断線Ｂ−Ｂ’で切断した断面図である。図４において、蓋部４０の長手方向がＸ方向であり、これと直交する短手方向がＹ方向である。蓋部４０は、本体部１０の側の面に、本体部１０の側に突出した突起部４１が形成されている。突起部４１は直方体を曲げた形状の第１部材４１１と第１部材４１１と一体に形成されＹ方向に張り出した第２部材４１２とを備える。第１部材４１１の幅Ｗ３（図１、図４を参照）は、切欠部２２の幅Ｗ４と略等しい。突起部４１の第１部材４１１を切欠部２２に嵌め込み、第２部材４１２が収納部２０に接するように位置決めをする。加えて、突起部４１の高さｈ１（図５参照）は、切欠部２２の深さｈ２（図３参照）よりも短い。このため、突起部４１を切欠部２２に嵌め込んだ場合、収納部２０の上面と蓋部４０の下面とが確実に接触し、蓋部４０が収納部２０から浮き上がることがない。蓋部４０は、本体部１０の開口面Ｒの一部を覆い、収納部２０と接する。
【００１５】
図６は、マイクロホンユニット１の平面図であり、図７は図６に示すマイクロホンユニット１を破断線Ｃ−Ｃ’で切断した断面図である。
マイクロホン３は、音を電気信号に変換して音信号として出力する。マイクロホン３は、ムービングコイル型、リボン型、コンデンサ型など各種の形式を採用することができる。この例では、マイクロホン３として、エレクトレットコンデンサマイクロホンを用いる。マイクロホン３は、ダイヤフラム３１とエレクトレット素子３２とを備える。ダイヤフラム３１とエレクトレット素子３２とによってコンデンサが構成される。ダイヤフラム３１が音波によって振動することによってダイヤフラム３１とエレクトレット素子３２との距離が変化する。これによりコンデンサの容量値が変化する。マイクロホン３は、容量値の変化を音信号として出力する。
【００１６】
収納部２０は、本体部１０において底面部１１と壁部とで囲まれる空間を２つの内部空間Ｋ１と内部空間Ｋ２とに隔てる。但し、収納部２０と蓋部４０とが切欠部２２において連結した状態であっても、突起部４１の高さｈ１は切欠部２２の深さｈ２（図３参照）よりも短いので、マイクロホン３と蓋部４０との間に間隙２３がある。この間隙２３を介して、左側の内部空間Ｋ１と右側の内部空間Ｋ２とが連通している。なお、間隙２３を無くすことで、内部空間Ｋ１と内部空間Ｋ２を完全に遮断するようにしてもよい。この場合、保持部２０は、切欠部２２の替わりに、幅Ｗ４（Ｗ３と略等しい）、且つ深さが突起部４１の高さｈ４と略等しい凹部を設ければ良い。あるいは、間隙２３をウレタン等の弾性体で詰めてもよい。
【００１７】
また、マイクロホンユニット１の上面には、第１開口部Ｓ１と第２開口部Ｓ２が設けられている。第１開口部Ｓ１は、開口面Ｒにおける本体部１０の長手方向の一方の端部と蓋部４０との間に開口する。第２開口部Ｓ２は、開口面Ｒにおける本体部１０の長手方向の一方の端部と蓋部４０との間に開口する。第１開口部Ｓ１は、第１壁１１１、第２壁１１２、第３壁１１３及び蓋部４０によって囲まれている。第２開口部Ｓ２は、第１壁１１１、第２壁１１２、第４壁１１４及び蓋部４０によって囲まれている。
【００１８】
以下の説明では、第３壁１１３と向かい合うマイクロホン３の面を第１面Ｐ１、第４壁１１４と向かい合うマイクロホン３の面を第２面Ｐ２、第１面Ｐ１から第３壁１１３に向かう方向を第１方向Ｄ１、第１方向Ｄ１と反対の方向であって第２面Ｐ２から第４壁１１４に向かう方向を第２方向Ｄ２とする。また、マイクロホン３の第１面Ｐ１から第３壁１１３までの距離をＬａ、マイクロホンの第２面Ｐ２から第４壁１１４までの距離をＬｂ、マイクロホン３の第１面Ｐ１から第１方向Ｄ１へ蓋部４０が張り出した部分の長さをＬ１、[0]マイクロホン３の第２面Ｐ２から第２方向Ｄ２へ蓋部４０が張り出した部分の長さをＬ２とする。
本実施形態では、Ｌ１＜Ｌ２となるように蓋部４０を設けている。即ち、第１開口部Ｓ１からマイクロホン３の第１面Ｐ１に至る距離は、第２開口部Ｓ２からマイクロホン３の第２面Ｐ２に至る距離と比較して短い。
また、本実施形態では、Ｌａ＜Ｌｂとなるように、収納部２０を設けている。即ち、内部空間Ｋ１の体積は、内部空間Ｋ２の体積よりも小さい。
以下、実験結果について説明する。
【００１９】
＜実験結果１＞
本願の発明者は、指向性が単一指向性であるマイクロホン３を採用した実験を行った。この実験の条件は以下の通りである。まず、本体部１０に組み込んだ状態でマイクロホン３の感度方向を第１方向Ｄ１とした。そして、マイクロホンユニット１から所定距離離れ、第１方向Ｄ１に位置する音源から一定の音圧の音を放音し、長さＬ１及び長さＬ２を変化させてマイクロホン３から出力される音信号のレベルを測定した。この測定結果を信号レベルＳとする。また、マイクロホンユニット１から所定距離離れ、第２方向Ｄ２に位置する音源から同じ音圧の音を放音し、長さＬ１及び長さＬ２を変化させたてマイクロホン３から出力される音信号のレベルを測定した。この測定結果をノイズレベルＮとする。
【００２０】
実験結果を図８に示す。実施例１〜４はいずれも距離Ｌａが１０ｍｍ、距離Ｌｂが２０ｍｍである。そして、実施例１はＬ１とＬ２が共に０ｍｍであり、実施例２はＬ１が５ｍｍ且つＬ２が０ｍｍであり、実施例３はＬ１が５ｍｍ且つＬ２が１５ｍｍであり、実施例４はＬ１が５ｍｍ且つＬ２が１７ｍｍである。
【００２１】
実施例１は、蓋部４０が収納部２０から張り出していない場合である。実施例１と実施例２〜４を比較すると、蓋部４０に収納部２０から何らかの張り出しがあると、信号レベルＳとノイズレベルＮとの両方が大きくなると共に、ＳＮ比が向上することが理解される。換言すれば、信号レベルＳが大きくなる度合いは、ノイズレベルＮが大きくなる度合いよりも大きい。
【００２２】
特に、第２実施例と第３実施例との比較は、第１方向Ｄ１に蓋部４０の張り出し部分を設けた状態で、第２方向Ｄ２に張り出し部分を設けるか否かの比較になる。この場合、第２方向Ｄ２に張り出し部分を設けることによって、信号レベルＳを約２倍（約６ｄＢ）にし、ＳＮ比を1.3ｄＢ向上させることができる。
【００２３】
＜実験結果２＞
本願の発明者は、指向性が双指向性であるマイクロホン３を採用した実験を行った。この実験の条件は以下の通りである。まず、本体部１０に組み込んだ状態で、マイクロホン３の一方の感度方向を第１方向Ｄ１とし、他方の感動方向を第２方向Ｄ２とした。そして、マイクロホンユニット１から所定距離離れ、第１方向Ｄ１に位置する音源から一定の音圧の音を放音し、長さＬ１及び長さＬ２を変化させてマイクロホン３から出力される音信号のレベルを測定した。この測定結果を信号レベルＳとする。また、マイクロホンユニット１から所定距離離れ、第２方向Ｄ２に位置する音源から同じ音圧の音を放音し、長さＬ１及び長さＬ２を変化させたてマイクロホン３から出力される音信号のレベルを測定した。この測定結果をノイズレベルＮとする。
【００２４】
実験結果を図９に示す。実施例５〜７はいずれも距離Ｌａが１０ｍｍ、距離Ｌｂが２０ｍｍである。そして、実施例５はＬ１とＬ２が共に０ｍｍであり、実施例６はＬ１が５ｍｍ且つＬ２が０ｍｍであり、実施例７はＬ１が５ｍｍ且つＬ２が１７ｍｍである。
【００２５】
実施例５は、蓋部４０が収納部２０から張り出していない場合である。実施例５と実施例６及び７とを比較すると、蓋部４０に収納部２０から何らかの張り出しがあると、信号レベルＳとノイズレベルＮとの両方が大きくなること理解される。
【００２６】
＜応用例＞
次に、上述したマイクロホンユニット１の応用例について説明する。マイクロホンユニット１は、指向性に優れることから、車載用のハンズフリー装置に好適である。ハンズフリー装置は、例えば、運転者が車を運転中に音声で各種電子機器に指示を与えたり、又は、運転者の声を集音して後部座席のスピーカから放音させる機能を有する。車室内は、車の走行に伴うノイズ等が大きいことから、所定の方向に感度の高いマイクロホンを用いることが好ましい。
図１０は、車の内装の一例を示す説明図である。この例では、運転席の左前方のコンソールにカーナビゲーション装置１００が設けられている。そして、カーナビゲ―ション装置１００の下部には音を取り込むスリット１１０が設けられている。マイクロホンユニット１は、第１開口部Ｓ１及び第２開口部Ｓ２が下向きになるようにカーナビゲーション装置１００の下部に設けられている。
ここで、マイクロホンユニット１の感度方向である第１方向Ｄ１が運転席側を向くように、コンソールの内部にマイクロホンユニット１を配置する。この配置によって、運転者の声を高い感度で集音することが可能となる。
なお、マイクロホンユニット１は、天井のルームランプの内部、運転席の近傍に位置するフロントドアの内部等に設けてもよい。これらの場合にも、運転者の方向を第１方向Ｄ１となるようにマイクロホンユニット１を配置することが好ましい。
【００２７】
＜変形例＞
以上の実施態様は多様に変形され得る。具体的な変形の態様を以下に例示する。以下の例示から任意に選択された２以上の態様は相矛盾しない限り適宜に併合され得る。
上述した実施形態のマイクロホンユニット１は、内部空間Ｋ２に構造物が無かったが、本発明はこれに限定されるものではなく、内部空間Ｋ２に構造物を設け、音が第２開口部Ｓ２からマイクロホン３の第２面Ｐ２に至る経路の距離を長くしてもよい。
図１１に変形例に係るマイクロホンユニット１’の断面図を示す。マイクロホンユニット１’の蓋部４０は、内部空間Ｋ２に突出する板状の隔壁４０ａ〜４０ｄを備える。本体部１０は、底面部１１から内部空間Ｋ２に突出する板状の隔壁１０ａ〜１０ｃを備える。隔壁４０ａ〜４０ｄと隔壁１０ａ〜１０ｃは、マイクロホンユニット１’の長手方向に対して互い違いに位置する。この構造によれば、音波が第１開口部Ｓ１からマイクロホン３の第１面Ｐ１に至るまでの距離と、音波が第２開口部Ｓ２からマイクロホン３の第２面Ｐ２に至るまでの距離との差がより大きくなる。したがって、マイクロホンユニット１’を小型化することができる。
また、マイクロホン３の指向性は無指向性であってもよいし、超指向性であってもよい。
【００２８】
＜実施形態及各変形例の少なくとも１つから把握される態様＞
上述した実施形態及び各変形例の少なくとも１つから以下の態様が把握される。
マイクロホンユニットの一態様は、底面部と、前記底面部の周縁を囲む壁部と、前記底面部と前記壁部で囲まれる空間を２つの内部空間に隔てると共にマイクロホンを収納する収納部と、前記底面部と反対側に開口する開口面を有する本体部と、前記開口面の一部を覆い前記収納部と接する蓋部と、前記開口面における前記本体部の長手方向の一方の端部と前記蓋部との間に開口する第１開口部と、前記開口面における前記本体部の長手方向の一方の端部と前記蓋部との間に開口する第２開口部と、を備える。
【００２９】
マイクロホンユニットの一態様は、音を電気信号に変換するマイクロホンと、底面部と、前記底面部の周縁を囲む壁部と、前記底面部と前記壁部で囲まれる空間を２つの内部空間に隔てると共に前記マイクロホンを収納する収納部と、前記底面部と反対側に開口する開口面を有する本体部と、前記開口面の一部を覆い前記収納部と接する蓋部と、前記開口面における前記本体部の長手方向の一方の端部と前記蓋部との間に開口する第１開口部と、前記開口面における前記本体部の長手方向の一方の端部と前記蓋部との間に開口する第２開口部と、を備える。
【００３０】
この態様によれば、開口面の一部を覆い収納部と接する蓋部を備えるので、マイクロホンから出力される音信号を大きくすることができる。また、蓋部を外した状態でマイクロホンをケースに収めることができるので、マイクロホンの組み込みが容易になる。また、蓋部をケースに取り付けることによって、第１開口部と第２開口部を同時に形成することができる。第１開口部から入力される音が一方の内部空間を介してマイクロホンに導かれ、他方の内部空間を介して第２開口部から入力される音がマイクロホンに導かれる。ここで、収納部はケースの内部を２つの内部空間に隔てるので、外部の音がマイクロホンに至る経路を異ならせることができる。経路の相違により、ある方向からの音の感度が高くなる一方、他の方向からの音の感度を低くすることができる。この結果、マイクロホンユニットに指向性を持たせることが可能となる。
【００３１】
上述したマイクロホンユニットの一態様において、前記壁部は、前記底面部に接続された第１壁、前記第１壁に対向する第２壁、第３壁、及び前記第３壁に対向する第４壁を備え、  前記収納部は前記第１壁と前記第２壁とに接続され、前記第３壁と対向する前記マイクロホンの第１面から前記第３壁へ向かう方向を第１方向、前記第1方向と反対の方向を第２方向としたとき、前記蓋部において、前記マイクロホンの第１面から前記第１方向へ張り出した部分の長さが、前記マイクロホンの第１面と反対の第２面から前記第２方向へ張り出した長さよりも短いことが好ましい。
【００３２】
この態様によれば、音源が第１方向にある場合、音が第１開口部を介してマイクロホンの第１開口部側に到達するまで距離は、音が第２開口部を介してマイクロホンの第２開口部側の面に到達するまでの距離と比較して短い。このため、マイクロホンのダイヤフラムにおいて第１開口部から入力する音による振動が、第２開口部から入力する音による振動によって打ち消される程度は小さい。一方、音源が第２方向にある場合、音が第２開口部を介してマイクロホンの第２開口部側の面に到達するまで距離は、音が第１開口部を介してマイクロホンの第１開口部側の面に到達するまでの距離と大きな違いがない。このため、マイクロホンのダイヤフラムにおいて第２開口部から入力する音による振動が、第１開口部から入力する音による振動によって打ち消される程度が大きい。この結果、第１方向の感度を第２方向と比較して高くすることができる。
【００３３】
上述したマイクロホンユニットの一態様として、前記マイクロホンは、前記第１方向の感度が前記第２方向の感度よりも大きいことが好ましい。この態様によれば、第１方向からの音をマイクロホンで電気信号に変換して得られる信号のレベルを信号レベル、第２方向からの音をマイクロホンで電気信号に変換して得られる信号のレベルをノイズレベルとしたとき、ＳＮ比を向上させることができる。
【００３４】
上述したマイクロホンユニットの一態様として、前記マイクロホンの第１面から前記第３壁までの距離は、前記マイクロホンの第１面と反対の第２面から前記第４壁までの距離より短いことが好ましい。この態様によれば、ＳＮ比を向上させることができる。
【００３５】
上述したマイクロホンユニットの一態様として、前記収納部は、前記蓋部側に切欠部を備え、前記蓋部は、前記ケース側の面に前記切欠部と連結する突出部を備えることが好ましい。この態様によれば、切欠部に突出部を嵌め込むことによって、蓋部をケースに連結させることができる。
【００３６】
上述したマイクロホンユニットの一態様として、前記マイクロホンは単一指向性を有しており、指向性の方向が前記第１方向であることが好ましい。この態様によれば、ＳＮ比を向上させることができる。
【符号の説明】
【００３７】
１…マイクロホンユニット、２…マイクロホンケース、３…マイクロホン、１０…本体部、１１…底面部、２０…収納部、２１…貫通孔、２２…切欠部、４０…蓋部、４１…突出部、１１１…第１壁、１１２…第２壁、１１３…第３壁、１１４…第４壁、Ｄ１…第１方向、Ｄ２…第２方向、Ｓ１…第１開口部、Ｓ２…第２開口部。
【図１】
2018125641.tif 000003
【図２】
2018125641.tif 000004
【図３】
2018125641.tif 000005
【図４】
2018125641.tif 000006
【図５】
2018125641.tif 000007
【図６】
2018125641.tif 000008
【図７】
2018125641.tif 000009
【図８】
2018125641.tif 000010
【図９】
2018125641.tif 000011
【図１０】
2018125641.tif 000012
【図１１】
2018125641.tif 000013